(57)【要約】【課題】照明器具の制御を複数個所で混乱を来さずに円滑に実行し易い照明システムを提供すること。【解決手段】照明システム１が、受信部２０を有する照明器具１２、照明器具１２の制御内容を入力する主操作部３５及び制御内容の情報を含む第１無線信号を送信可能な主送信部を有する親機１４、副受信部及び副送信部を有する子機１６を備える。親機１４が、第１無線信号を受信部２０及び副受信部に送信する。副受信部が第１無線信号を受信すると、副送信部が上記制御内容の情報を含む第２無線信号を受信部２０に送信する。【選択図】図１
2020087561.tif 000002
【特許請求の範囲】
【請求項１】
受信部を有する照明器具と、
前記照明器具の制御内容を入力する主操作部、及び前記制御内容の情報を含む第１無線信号を送信可能な主送信部を有する親機と、
副受信部、及び副送信部を有する子機と、を備え、
前記親機は、前記第１無線信号を前記受信部及び前記副受信部に送信し、
前記副受信部が前記第１無線信号を受信すると、前記副送信部が前記制御内容の情報を含む第２無線信号を前記受信部に送信する、照明システム。
【請求項２】
前記親機が主受信部を有すると共に、前記子機が前記照明器具の操作内容を入力する副操作部を有し、
前記副送信部は、前記操作内容を含む第３無線信号を前記主受信部に送信し、
前記親機は、受信した前記操作内容に基づいて前記受信部及び前記副受信部に前記操作内容の情報を含む第４無線信号を送信し、
前記子機は、受信した前記操作内容に基づいて前記受信部に前記操作内容の情報を含む第５無線信号を送信する、請求項１に記載の照明システム。
【請求項３】
前記主操作部及び前記副操作部の夫々が、前記照明器具の調光情報を入力できる、請求項１又は２に記載の照明システム。
【請求項４】
前記親機が主表示部を有すると共に、前記子機が副表示部を有し、
前記主表示部及び前記副表示部の夫々が、前記調光情報を表示可能である、請求項３に記載の照明システム。
【請求項５】
互いに独立に制御される第１照明器具及び第２照明器具と、
前記第１照明器具の第１制御内容を入力する第１主操作部、前記第２照明器具の第２制御内容を入力する第２主操作部、及び前記第１制御内容の情報を含む第１無線信号と前記第２制御内容の情報を含む第２無線信号を送信可能な主送信部を有する親機と、
副受信部、及び副送信部を有する子機と、を備え、
前記第１照明器具が第１受信部を有すると共に、前記第２照明器具が第２受信部を有し、
前記親機は、前記第１無線信号を前記第１受信部及び前記副受信部に送信可能であると共に、前記第２無線信号を前記第２受信部及び前記副受信部に送信可能であり、
前記副受信部が前記第１無線信号を受信すると、前記副送信部が前記第１制御内容を実行する情報を含む第３無線信号を前記第１受信部に送信し、
前記副受信部が前記第２無線信号を受信すると、前記副送信部が前記第２制御内容を実行する情報を含む第４無線信号を前記第２受信部に送信する、照明システム。
【請求項６】
互いに独立に制御される第１照明器具及び第２照明器具と、
前記第１照明器具の第１制御内容を入力する第１主操作部、前記第２照明器具の第２制御内容を入力する第２主操作部、及び前記第１制御内容の情報を含む第１無線信号と前記第２制御内容の情報を含む第２無線信号を送信可能な主送信部を有する親機と、
第１副受信部、及び第１副送信部を有する第１子機と、
第２副受信部、及び第２副送信部を有する第２子機と、を備え、
前記第１照明器具が第１受信部を有すると共に、前記第２照明器具が第２受信部を有し、
前記親機は、前記第１無線信号を前記第１受信部及び前記第１副受信部に送信可能であると共に、前記第２無線信号を前記第２受信部及び前記第２副受信部に送信可能であり、
前記第１副受信部が前記第１無線信号を受信すると、前記第１副送信部が前記第１制御内容を実行する情報を含む第３無線信号を前記第１受信部に送信し、
前記第２副受信部が前記第２無線信号を受信すると、前記第２副送信部が前記第２制御内容を実行する情報を含む第４無線信号を前記第２受信部に送信する、照明システム。
【発明の詳細な説明】
【技術分野】
【０００１】
本開示は、照明システムに関する。
【背景技術】
【０００２】
従来、照明システムとしては、特許文献１に記載されているものがある。この照明システムは、複数の照明器具と、照明器具の点灯状態や明るさ等を無線信号によって個別に調整する無線リモコンを備える。
【先行技術文献】
【特許文献】
【０００３】
【特許文献１】特開２０１６−２２５１７５号公報
【発明の概要】
【発明が解決しようとする課題】
【０００４】
例えば、扉が複数存在する部屋や中規模以上の会議室等において照明器具の制御を複数個所で混乱を来さずに円滑に実行できれば好ましい。
【０００５】
そこで、本開示の目的は、照明器具の制御を複数個所で混乱を来さずに円滑に実行し易い照明システムを提供することにある。
【課題を解決するための手段】
【０００６】
上記課題を解決するため、本開示に係る照明システムは、受信部を有する照明器具と、照明器具の制御内容を入力する主操作部、及び制御内容の情報を含む第１無線信号を送信可能な主送信部を有する親機と、副受信部、及び副送信部を有する子機と、を備え、親機は、第１無線信号を受信部及び副受信部に送信し、副受信部が第１無線信号を受信すると、副送信部が制御内容の情報を含む第２無線信号を受信部に送信する。
【０００７】
また、本開示に係る別の態様の照明システムは、互いに独立に制御される第１照明器具及び第２照明器具と、第１照明器具の第１制御内容を入力する第１主操作部、第２照明器具の第２制御内容を入力する第２主操作部、及び第１制御内容の情報を含む第１無線信号と第２制御内容の情報を含む第２無線信号を送信可能な主送信部を有する親機と、副受信部、及び副送信部を有する子機と、を備え、第１照明器具が第１受信部を有すると共に、第２照明器具が第２受信部を有し、親機は、第１無線信号を第１受信部及び副受信部に送信可能であると共に、第２無線信号を第２受信部及び副受信部に送信可能であり、副受信部が第１無線信号を受信すると、副送信部が第１制御内容を実行する情報を含む第３無線信号を第１受信部に送信し、副受信部が第２無線信号を受信すると、副送信部が第２制御内容を実行する情報を含む第４無線信号を第２受信部に送信する。
【０００８】
また、本開示に係る更なる態様の照明システムは、互いに独立に制御される第１照明器具及び第２照明器具と、第１照明器具の第１制御内容を入力する第１主操作部、第２照明器具の第２制御内容を入力する第２主操作部、及び第１制御内容の情報を含む第１無線信号と第２制御内容の情報を含む第２無線信号を送信可能な主送信部を有する親機と、第１副受信部、及び第１副送信部を有する第１子機と、第２副受信部、及び第２副送信部を有する第２子機と、を備え、第１照明器具が第１受信部を有すると共に、第２照明器具が第２受信部を有し、親機は、第１無線信号を第１受信部及び第１副受信部に送信可能であると共に、第２無線信号を第２受信部及び第２副受信部に送信可能であり、第１副受信部が第１無線信号を受信すると、第１副送信部が第１制御内容を実行する情報を含む第３無線信号を第１受信部に送信し、第２副受信部が第２無線信号を受信すると、第２副送信部が第２制御内容を実行する情報を含む第４無線信号を第２受信部に送信する。
【発明の効果】
【０００９】
本開示に係る照明システムによれば、照明器具の制御を複数個所で混乱を来さずに円滑に実行し易い。
【図面の簡単な説明】
【００１０】
【図１】本開示の第１実施形態に係る照明システムの概略構成図である。
【図２】（ａ）は、親機の機能ブロック図であり、（ｂ）は、子機の機能ブロック図である。
【図３】親機の主制御部が実行可能な処理手順の一例を示すフローチャートである。
【図４】子機の副制御部が実行可能な処理手順の一例を示すフローチャートである。
【図５】本開示の第２実施形態に係る照明システムの概略構成図である。
【図６】本開示の第３実施形態に係る照明システムの概略構成図である。
【発明を実施するための形態】
【００１１】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の実施例では、図面において同一構成に同一符号を付し、重複する説明を省略する。また、以下の説明において、各種制御部は、例えば、マイクロコンピュータによって好適に構成され、ＣＰＵ（Central Processing Unit）を含む。また、各種記憶部は、ＲＯＭ（Read Only Memory）等の不揮発性メモリや、ＲＡＭ（Random Access Memory）等の揮発性メモリで構成される。また、各種表示部は、液晶パネルや有機ＥＬパネル等で構成される。ＣＰＵは、記憶部に予め記憶されたプログラム等を読み出して実行する。また、不揮発性メモリは、制御プロラムや所定の閾値等を予め記憶する。また、揮発性メモリは、読み出したプログラムや処理データを一時的に記憶する。また、以下で説明される構成要素のうち、最上位概念を示す独立請求項に記載されていない構成要素については、任意の構成要素であり、必須の構成要素ではない。
【００１２】
（第１実施形態）
図１は、本開示の第１実施形態に係る照明システム１の概略構成図である。照明システム１は、例えば、建物内のオフィスや会議室等に設置される。照明システム１は、複数の照明器具１２、親機１４、及び子機１６を備える。
【００１３】
照明器具１２は、例えば、天井に設置される。図１では、照明システム１が４つの照明器具１２を備える場合が例示されているが、照明システム１に含まれる照明器具１２は、１つでもよく、４以外の複数でもよい。また、図１では、照明システム１が１つの親機１４と１つの子機１６を備える場合が例示されているが。照明システムは、２以上の子機を備えてもよい。
【００１４】
照明器具１２は、発光部１８と、受信部２０を有する。発光部１８は、例えば、１以上のＬＥＤ（light emitting diode）を含み、ＬＥＤが発光することで、発光部１８から照明光が出射される。なお、発光部１８、ＬＥＤ以外の発光素子を含んでもよく、半導体レーザ素子や、有機ＥＬ（Electro Luminescence）素子若しくは無機ＥＬ素子等の固体発光素子等を含んでもよい。又は、発光部１８は、白熱灯や蛍光灯を含んでもよい。
【００１５】
照明器具１２の受信部２０は、親機１４から送信されると共に制御内容を含んだ第１無線信号を受信する。なお、照明システム１は、如何なる無線規格を用いて無線通信を行ってもよく、例えば、無線ＬＡＮや特定小電力無線を用いて無線通信を行ってもよい。また、受信部２０はアンテナを含んでもよい。
【００１６】
照明器具１２は、受信部２０で受信した第１無線信号に基づいて発光部１８の点灯状態を変更し、発光部１８の調光率（明るさの度合）を変更する。詳しくは、照明器具は、制御部、電源装置、及びスイッチング回路を更に備える。電源装置は、商用電力からの交流電力を直流電力に変換する。また、当該直流電力は、スイッチング回路を介して発光部１８に供給され、スイッチング回路は、トランジスタ等で構成されるスイッチング部を有する。制御部の制御信号でスイッチング部がオフ制御されると、直流電力が発光部１８に供給されず、発光部１８が消灯する。他方、制御部の制御信号でスイッチング部がオフ制御されると、直流電力が発光部１８に供給されて、発光部１８が点灯する。発光部１８の調光率は、例えば、パルス幅変調（ＰＷＭ：Pulse Width Modulation）調光方式で変更され、スイッチング部をオンオフ制御することで、発光部の点灯時間と消灯時間を制御することで変更される。なお、発光部１８の調光率は、アナログ調光の技術を用いて変更されてもよい。
【００１７】
図２（ａ）は、親機１４の機能ブロック図であり、図２（ｂ）は、子機１６の機能ブロック図である。次に、図１及び図２を用いて親機１４と子機１６の構成について説明する。図２（ａ）に示すように、親機１４は、主電源装置３１、主制御部３２、主記憶部３３、主操作部３５、主送信部３６、主受信部３７、及び主表示部３８を備える。また、図２（ｂ）に示すように、子機１６は、副電源装置４１、副制御部４２、副記憶部４３、副操作部４５、副送信部４６、副受信部４７、及び副表示部４８を備える。親機１４及び子機１６は、商用電源から電力が供給され、主電源装置３１及び副電源装置４１の夫々は、商用電源から供給された交流電力を直流電力に変換する。なお、主送信部３６、主受信部３７、副送信部４６、及び副受信部４７の夫々は、アンテナを含んでもよい。また、親機１４及び子機１６は、電力が商用電源から供給されなくてもよく、電池駆動で動作してもよい。
【００１８】
図２（ａ）を参照して、主操作部３５は、照明器具１２の制御内容を入力するために設けられ、ユーザは、後で詳細に説明するように主操作部３５を用いて照明器具１２の点灯、消灯、及び調光を実行できる。また、主送信部３６は、主操作部３５を用いて入力された制御内容の情報を含む第１無線信号を照明器具１２の受信部２０と図２（ｂ）に示す副受信部４７に送信する。また、図２（ｂ）を参照して、副受信部４７は第１無線信号を受信すると、副送信部４６が上記制御内容の情報を含む第２無線信号を受信部２０に送信する。また、図１を参照して、照明器具１２の制御部は、受信部２０が受信した第１無線信号と第２無線信号の少なくとも一方に基づいて上記制御内容を実行し、発光部１８がその制御内容に一致する動作を実行する。
【００１９】
更には、図２（ｂ）を参照して、ユーザは、副操作部４５を用いて照明器具１２の操作内容を入力でき、副操作部４５を用いて照明器具１２の点灯、消灯、及び調光を実行できる。また、副送信部４６は、該操作内容を含む第３無線信号を主受信部３７に送信する。また、図２（ａ）を参照して、親機１４は、受信した該操作内容に基づいてその操作内容の情報を含む第４無線信号を受信部２０及び副受信部４７に主送信部３６を用いて送信する。また、図２（ｂ）を参照して、子機１６は、副送信部４６を用いて受信した該操作内容の情報を含む第５無線信号を受信部２０に送信する。また、図１を参照して、照明器具１２の制御部が、受信部２０で受信した第４無線信号と第５無線信号の少なくとも一方に基づいて上記操作内容を実行し、発光部１８がその操作内容に一致する動作を実行する。また、上述のように、主操作部３５及び副操作部４５の夫々は照明器具１２の調光情報を入力できるが、主表示部３８及び副表示部４８の夫々は、調光情報を表示可能になっている。
【００２０】
次に、主操作部３５及び副操作部４５で可能な入力操作と、主表示部３８及び副表示部４８の表示について詳しく説明する。図１に示すように、親機１４は、主操作部３５の操作に応じて照明器具１２の点灯状態を制御する無線リモートコントローラとして機能し、子機１６は、副操作部４５の操作に応じて照明器具１２の点灯状態を制御する無線リモートコントローラとして機能する。４つの照明器具１２は、主操作部３５又は副操作部４５の操作により同一の制御を実行されるようになっており、同一のタイミングで点灯や消灯を実行したり、同一の調光率に制御されるようになっている。
【００２１】
親機１４及び子機１６の夫々は、例えば、室内の壁等に設置される。より具体的な一例を説明すると、例えば、扉が２つ存在する部屋では、親機１４が、一方の扉の周辺の壁面に設置されてもよく、子機１６が他方の扉の周辺の壁面に設置されてもよいが、親機１４及び子機１６の配置はこれに限らない。又は、親機１４及び子機１６の少なくとも一方は、持ち運び可能な無線リモートコントローラでもよい。
【００２２】
主操作部３５は、照明器具１２の調光率を増加させる調光率増加スイッチ２２と、同調光率を低下させる調光率低下スイッチ２４と、照明器具１２への電源供給をオンオフする電源スイッチ２６を含む。３つのスイッチ２２，２４，２６は、本実施形態のように上下方向に並んで配置されてもよく、各スイッチ２２，２４，２６は、例えば、押下式スイッチによって構成されてもよい。なお、図１に示す例では、主操作部３５が、調光率増加スイッチ２２、調光率低下スイッチ２４、及び電源スイッチ２６を有する場合について説明した。しかし、主操作部は、シーン（設定した点灯レベルの信号を出す）スイッチを含んでもよい。主操作部は、例えば、点灯、消灯、及び調光のｕｐ／ｄｏｗｎを操作する操作部のみならず、設定した点灯レベルに操作する操作部を含んでもよい。
【００２３】
調光率増加スイッチ２２に関して、所定時間（例えば２０ｍｓ）以上継続して押下される長押し操作が行われると、親機１４の主送信部３６が調光率を所定量（例えば、１％）ずつ増加させることを表す第１無線信号を所定時間間隔（例えば、３ｍｓ）毎に受信部２０及び副受信部４７に送信する。他方、調光率増加スイッチ２２に関して、長押し操作ではなく短時間（例えば、２０ｍｓ未満）の押下操作が行われると、主送信部３６が１回押下操作されるごとに調光率を所定量だけ増加させることを表す第１無線信号を受信部２０及び副受信部４７に送信する。
【００２４】
また、調光率低下スイッチ２４に関して、所定時間（例えば２０ｍｓ）以上継続して押下される長押し操作が行われと、主送信部３６が調光率を所定量（例えば、１％）ずつ減少させることを表す第１無線信号を所定時間間隔（例えば、３ｍｓ）毎に受信部２０及び副受信部４７に送信する。他方、調光率低下スイッチ２４に関して、長押し操作ではなく短時間（例えば、２０ｍｓ未満）の押下操作が行われると、主送信部３６が１回押下操作されるごとに調光率を所定量だけ減少させることを表す第１無線信号を受信部２０及び副受信部４７に送信する。
【００２５】
また、電源スイッチ２６に関して押下操作がされると、照明器具１２に対する電源供給がオン又はオフになる。したがって、照明器具１２が消灯状態にあるとき電源スイッチ２６が押下操作されると照明器具１２が点灯し、照明器具１２が点灯状態にあるとき電源スイッチ２６が押下操作されると照明器具１２が消灯する。なお、主操作部は、電源が供給されたまま「明るさを０にする」動作を実行可能でもよい。よって、オフというのは、消灯（調光比が０）の場合もある。
【００２６】
子機１６の副操作部４５は、照明器具１２の調光率を増加させる調光率増加スイッチ５２と、同調光率を低下させる調光率低下スイッチ５４と、照明器具１２への電源供給をオンオフする電源スイッチ５６とを含む。これらの各スイッチ５２，５４，５６の機能は親機１４の主操作部３５と同一である。なお、主操作部と同様に、副操作部も、シーン（設定した点灯レベルの信号を出す）スイッチを含んでもよい。そして、例えば、主操作部と同様に、副操作部も、点灯、消灯、及び調光のｕｐ／ｄｏｗｎを操作する操作部のみならず、設定した点灯レベルに操作する操作部を含んでもよい。また、子機の場合も、親機の場合と同様に、電源が供給されたまま「明るさを０にする」動作を副操作部で実行可能でもよく、オフには、消灯（調光比が０）の場合も含まれる。また、主表示部３８及び副表示部４８は、照明器具１２の調光率を表示する。主表示部３８及び副表示部４８が同じ調光率を表示できる理由は、後で図３及び図４を用いて説明する。
【００２７】
なお、親機１４の主操作部３５を用いて入力された制御内容の情報は、親機１４の主送信部３６から照明器具１２の受信部２０に直接送信できる。しかし、子機１６の副操作部４５を用いて入力された操作内容の情報は、子機１６の副送信部４６から照明器具１２の受信部２０に直接送信できなくなっており、親機１４を経由した後でなければ、照明器具１２の受信部２０に送信できなくなっている。
【００２８】
また、調光率増加スイッチ２２,５２及び調光率低下スイッチ２４,５４に関して、長押し操作とそれ以外の操作で調光率の変更度合が異なる場合について説明した。しかし、調光率増加スイッチ２２,５２及び調光率低下スイッチ２４,５４での操作は、それよりも単純な操作でもよい。詳しくは、照明器具１２の調光の度合は、１０段階や２０段階にしか変更できなくてもよい。そして、最も明るい調光がレベル１０やレベル２０でもよく、レベル値が小さくなるにしたがって、照明器具１２の明るさが暗くなってもよい。また、調光率増加スイッチ２２を押下操作する度にレベルが１上がってもよく、調光率低下スイッチ２４を押下操作する度にレベルが１下がってもよい。また、この場合において、主表示部３８及び副表示部４８の夫々は、レベル値を表示してもよい。
【００２９】
また、親機１４の電源スイッチ２６及び子機１６の電源スイッチ５６のいずれかが１回操作された後に、親機１４の電源スイッチ２６及び子機１６の電源スイッチ５６のいずれかが１回操作されることで、照明器具１２が消灯した後に点灯したとする。この場合、点灯したときのレベルは、照明器具１２が消灯したときのレベルと同一でもよく、最小レベルでもよく、最大レベルでもよく、又は最大レベルと最大レベルの中間のレベルでもよい。
【００３０】
次に、図３を参照して、親機１４の主制御部３２による代表的な制御について説明する。図３は、親機１４の主制御部３２が実行可能な処理手順の一例を示すフローチャートである。図３を参照して、例えば、照明システム１が設置されて主制御部３２での制御がスタートすると、ステップＳ１で、主制御部３２が、主操作部３５が操作されたか否かを判定する。ステップＳ１で肯定判定されると、ステップＳ２に移行して、主制御部３２が、その制御内容が調光に基づく制御内容か否かを判定する。
【００３１】
ステップＳ２で否定判定されると、ステップＳ３に移行して、主制御部３２による制御によって、主送信部３６が、主操作部３５で入力された制御内容の情報を含む第１無線信号を照明器具１２の受信部２０と副受信部４７に送信する。他方、ステップＳ２で肯定判定されると、ステップＳ４に移行して、主表示部３８が、主制御部３２の制御によって主操作部３５で入力された調光率を表示し、その後、ステップＳ３に移行する。ステップＳ３が終了すると、制御がリターンとなってステップＳ１以下が繰り返される。なお、ステップＳ３の終了後、照明器具１２の制御部が、受信部２０が受信した主送信部３６からの制御内容に一致する制御を発光部１８に施し、発光部１８が、制御内容に一致する発光を実行する。
【００３２】
他方、ステップＳ１で否定判定されると、ステップＳ５に移行して、主制御部３２が、主受信部３７が副操作部４５で入力された操作内容の情報を含む第３無線信号を受信したか否かを判定する。ステップＳ５で否定判定されると、制御がリターンとなってステップＳ１以下が繰り返される。他方、ステップＳ５で肯定判定されると、ステップＳ６に移行して、主制御部３２がその操作内容が調光に基づく操作内容か否かを判定する。
【００３３】
ステップＳ６で否定判定されると、ステップＳ７に移行して、主制御部３２による制御によって、主送信部３６が、副操作部４５で入力された操作内容の情報を含む第４無線信号を照明器具１２の受信部２０と副受信部４７に送信する。他方、ステップＳ６で肯定判定されると、ステップＳ８に移行して、主表示部３８が、主制御部３２の制御によって副操作部４５で入力された調光率を表示し、その後、ステップＳ７に移行する。ステップＳ７が終了すると、制御がリターンとなってステップＳ１以下が繰り返される。なお、ステップＳ７の終了後、照明器具１２の制御部が、受信部２０が受信した主送信部３６からの操作内容に一致する制御を発光部１８に施し、発光部１８が、操作内容に一致する発光を実行する。
【００３４】
次に、図４を参照して、子機１６の副制御部４２による代表的な制御について説明する。図４は、子機１６の副制御部４２が実行可能な処理手順の一例を示すフローチャートである。図４を参照して、例えば、照明システム１が設置されて副制御部４２での制御がスタートすると、ステップＳ１１で、副制御部４２が、副操作部４５が操作されたか否かを判定する。ステップＳ１１で肯定判定されると、ステップＳ１２に移行して、副制御部４２が、その操作内容が調光に基づく操作内容か否かを判定する。
【００３５】
ステップＳ１２で否定判定されると、ステップＳ１３に移行して、副制御部４２による制御によって、副送信部４６が、副操作部４５で入力された操作内容の情報を含む第３無線信号を親機１４の主受信部３７に送信する。他方、ステップＳ１２で肯定判定されると、ステップＳ１４に移行して、副表示部４８が、副制御部４２の制御によって副操作部４５で入力された調光率を表示し、その後、ステップＳ１３に移行する。
【００３６】
ステップＳ１３が終了すると、主受信部３７が受信した第３無線信号に基づいて、主制御部３２が主送信部３６に副操作部４５で入力された操作内容の情報を含む第４無線信号を受信部２０及び副受信部４７に向けて送信させる。ステップＳ１３に続くステップＳ１５では、副受信部４７が操作内容の情報を含む第４無線信号を受信する。ステップＳ１５の後のステップＳ１６では、副制御部４２が副送信部４６に操作内容の情報を含む第５無線信号を受信部２０に向けて送信させる。ステップＳ１６が終了すると制御がリターンとなって、ステップＳ１１以下が繰り返される。なお、ステップＳ１６の終了後、照明器具１２の制御部が、受信部２０が受信した副送信部４６からの操作内容の情報に一致する制御を発光部１８に施し、発光部１８が、操作内容に一致する発光を実行する。
【００３７】
他方、ステップＳ１１で否定判定されると、ステップＳ１７に移行して、副制御部４２が、副受信部４７が主操作部３５で入力された制御内容の情報を含む第１無線信号を受信したか否かを判定する。ステップＳ１７で否定判定されると、制御がリターンとなってステップＳ１１以下が繰り返される。他方、ステップＳ１７で肯定判定されると、ステップＳ１８に移行して、その制御内容が調光に基づく制御内容か否かを判定する。
【００３８】
ステップＳ１８で否定判定されると、ステップＳ１９に移行して、副制御部４２による制御によって、副送信部４６が、主操作部３５で入力された制御内容の情報を含む第２無線信号を照明器具１２の受信部２０に送信する。他方、ステップＳ１８で肯定判定されると、ステップＳ２０に移行して、副表示部４８が、副制御部４２の制御によって主操作部３５で入力された調光率を表示し、その後、ステップＳ１９に移行する。ステップＳ１９が終了すると、制御がリターンとなってステップＳ１１以下が繰り返される。なお、ステップＳ１９の終了後、照明器具１２の制御部が、受信部２０が受信した副送信部４６からの制御内容に一致する制御を発光部１８に施すようになっている。なお、図３及び図４に示すフローチャートを用いて説明した第１乃至第５無線信号は、制御信号であり、コマンドである。
【００３９】
以上、照明システム１は、受信部２０を有する照明器具１２と、照明器具１２の制御内容を入力する主操作部３５及び制御内容の情報を含む第１無線信号を送信可能な主送信部３６を有する親機１４と、副受信部４７及び副送信部４６を有する子機１６とを備える。また、親機１４は、第１無線信号を受信部２０及び副受信部４７に送信する。また、副受信部４７が第１無線信号を受信すると、副送信部４６が上記制御内容の情報を含む第２無線信号を受信部２０に送信する。
【００４０】
本開示によれば、子機１６が親機１４から制御信号を受信したときのみに子機１６が照明器具１２へ制御信号を送信できるようにすることができる。すなわち、逆説的に言うと、子機１６が操作されたときでも、子機１６が親機１４から制御信号を受信しないかぎり、子機１６が照明器具１２へ制御信号を送信できないようにできる。したがって、親機１４と子機１６を用いて照明器具の制御を複数の箇所で実行できるだけでなく、照明器具１２の制御の命令の主体を親機１４だけにすることができる。よって、照明器具の制御を複数個所で実行できるだけでなく、制御系統（指示系統）も単純化でき、照明器具の制御を複数個所で混乱を来さずに円滑に実行し易い。
【００４１】
また、子機１６が親機１４から制御内容を第１無線信号で取得して、子機１６も照明器具１２に第２無線信号で制御内容を送信する。したがって、子機１６が、親機１４が実行した制御内容を共有するので、子機１６がその制御内容を例えば音声や表示でユーザに報知できる。よって、ユーザが照明器具１２の制御状態を広範囲な領域で取得し易い。
【００４２】
更には、無線信号を送信できない領域が生じることがある。しかしながら、本開示によれば、親機１４の主操作部３５で入力された制御内容を親機１４から照明器具１２に直接的に送信できるだけでなく、子機１６を経由した経路で迂回して照明器具１２に間接的に送信できる。よって、無線信号（制御信号）が届く範囲を広げることができ、照明器具１２の制御を確実に実行できる。
【００４３】
また、親機１４が主受信部３７を有すると共に、子機１６が照明器具１２の操作内容を入力する副操作部４５を有してもよい。また、副送信部４６は、操作内容を含む第３無線信号を主受信部３７に送信してもよい。また、親機１４は、受信した操作内容に基づいて受信部２０及び副受信部４７に操作内容の情報を含む第４無線信号を送信してもよい。そして、子機１６は、受信した操作内容に基づいて受信部２０に操作内容の情報を含む第５無線信号を送信してもよい。
【００４４】
本構成によれば、子機１６の副操作部４５によって入力された操作内容が、親機１４を経由して照明器具１２に送信されるだけでなく、親機１４及び子機１６をその順に経由した後に照明器具１２に送信される。よって、親機１４及び子機１６からの操作が可能になると共に照明器具１２の制御の命令の主体を親機１４だけにできる照明システム１を簡素な通信経路で実現できる。なお、本構成は、採用されると好ましいが、採用されなくてもよい。例えば、親機は、子機から受信した操作内容に基づいて受信部及び副受信部のうちの一方のみに操作内容の情報を含む第４無線信号を送信してもよい。
【００４５】
また、主操作部３５及び副操作部４５の夫々が、照明器具１２の調光情報を入力可能でもよい。
【００４６】
本構成によれば、照明器具１２の調光制御を複数個所で混乱を来さずに円滑に実行し易い。なお、本構成は、採用されると好ましいが、採用されなくてもよく、主操作部及び副操作部の少なくとも一方が、照明器具の調光情報を入力不可能でもよい。そして、主操作部及び副操作部の少なくとも一方は、照明器具の点灯と消灯しか操作できなくてもよい。
【００４７】
また、親機１４が主表示部３８を有すると共に、子機１６が副表示部４８を有してもよい。また、主表示部３８及び副表示部４８の夫々が、調光情報を表示可能でもよい。
【００４８】
本構成によれば、ユーザが照明器具１２の調光情報を複数の箇所で容易に取得できる。なお、本構成は、採用されると好ましいが、採用されなくてもよく、親機及び子機の少なくとも一方が表示部を有さなくてもよい。
【００４９】
（第２実施形態）
第１実施形態では、親機１４が、１グループ、すなわち、同一の制御が施される４つの照明器具１２のみの制御を行う場合について説明した。しかし、１つの親機が、互いに独立に制御される複数のグループの照明器具の制御を実行可能でもよく、１つの親機が、複数のグループの照明器具の夫々で命令の主体となっていてもよい。第２実施形態では、図５、すなわち、本開示の第２実施形態に係る照明システム１０１の概略構成図を用いて、１つの親機１１４と１つの子機１１６が存在する場合を例にそのような照明システム１０１について説明する。なお、第２実施形態では、第１実施形態と同様の作用効果及び変形例についての説明を省略する。
【００５０】
図５に示すように、照明システム１０１は、１つの親機１１４、１つの子機１１６、第１グループに属する１以上の第１照明器具１１２、及び第２グループに属する１以上の第２照明器具１１３を備える。第１グループに属する１以上の第１照明器具１１２は、同一の制御が実行され、第２グループに属する１以上の第２照明器具１１３も、同一の制御が実行される。また、第１グループに属する１以上の第１照明器具１１２と、第２グループに属する１以上の第２照明器具１１３は、互いに独立に制御される。
【００５１】
親機１１４は、第１照明器具１１２の調光率を増加させる調光率増加スイッチ１２２と、第１照明器具１１２の調光率を低下させる調光率低下スイッチ１２４と、第１照明器具１１２への電源供給をオンオフする電源スイッチ１２６を含む。また、親機１１４は、第２照明器具１１３の調光率を増加させる調光率増加スイッチ１３２と、第２照明器具１１３の調光率を低下させる調光率低下スイッチ１３４と、第２照明器具１１３への電源供給をオンオフする電源スイッチ１３６を含む。
【００５２】
調光率増加スイッチ１２２、調光率低下スイッチ１２４、及び電源スイッチ１２６の夫々の操作方法は、第１実施形態で説明した、調光率増加スイッチ２２、調光率低下スイッチ２４、及び電源スイッチ２６の操作方法と同一である。また、調光率増加スイッチ１３２、調光率低下スイッチ１３４、及び電源スイッチ１３６の夫々の操作方法も、第１実施形態で説明した、調光率増加スイッチ２２、調光率低下スイッチ２４、及び電源スイッチ２６の操作方法と同一である。
【００５３】
また、子機１１６は、第１照明器具１１２の調光率を増加させる調光率増加スイッチ１５２と、第１照明器具１１２の調光率を低下させる調光率低下スイッチ１５４と、第１照明器具１１２への電源供給をオンオフする電源スイッチ１５６を含む。また、子機１１６は、第２照明器具１１３の調光率を増加させる調光率増加スイッチ１６２と、第２照明器具１１３の調光率を低下させる調光率低下スイッチ１６４と、第２照明器具１１３への電源供給をオンオフする電源スイッチ１６６を含む。
【００５４】
調光率増加スイッチ１５２、調光率低下スイッチ１５４、及び電源スイッチ１５６の夫々の操作方法は、第１実施形態で説明した、調光率増加スイッチ５２、調光率低下スイッチ５４、及び電源スイッチ５６の操作方法と同一である。また、調光率増加スイッチ１６２、調光率低下スイッチ１６４、及び電源スイッチ１６６の夫々の操作方法も、第１実施形態で説明した、調光率増加スイッチ５２、調光率低下スイッチ５４、及び電源スイッチ５６の操作方法と同一である。
【００５５】
第２実施形態では、２つのグループの夫々で、互いに独立に第１実施形態で説明した第１乃至第５無線信号を用いた制御を実行する。より詳しくは、照明システム１０１は、互いに独立に制御される第１照明器具１１２及び第２照明器具１１３を備える。また、照明システム１０１は、第１照明器具１１２の第１制御内容を入力する第１主操作部１２９、第２照明器具１１３の第２制御内容を入力する第２主操作部１３９、及び第１制御内容の情報を含む第１無線信号と第２制御内容の情報を含む第２無線信号を送信可能な主送信部を有する親機１１４を備える。また、照明システム１０１は、副受信部、及び副送信部を有する子機１１６を備える。また、第１照明器具１１２が第１受信部１２０を有すると共に、第２照明器具１１３が第２受信部１２１を有する。また、親機１１４は、第１無線信号を第１受信部１２０及び副受信部に送信可能であると共に、第２無線信号を第２受信部１２１及び副受信部に送信可能である。また、副受信部が第１無線信号を受信すると、副送信部が第１制御内容を実行する情報を含む第３無線信号を第１受信部１２０に送信する。また、副受信部が第２無線信号を受信すると、副送信部が第２制御内容を実行する情報を含む第４無線信号を第２受信部１２１に送信する。
【００５６】
更には、親機１１４が主受信部を有すると共に、子機１１６が第１照明器具１１２の第１操作内容を入力する第１副操作部１５９と第２照明器具１１３の第２操作内容を入力する第２副操作部１６９とを有してもよい。また、副送信部は、第１操作内容を含む第５無線信号を主受信部に送信し、第２操作内容を含む第６無線信号を主受信部に送信してもよい。また、親機１１４は、受信した第１操作内容に基づいて第１受信部及び副受信部に第１操作内容の情報を含む第７無線信号を送信してもよい。また、親機１１４は、受信した第２操作内容に基づいて第２受信部及び副受信部に第２操作内容の情報を含む第８無線信号を送信してもよい。また、子機１１６は、受信した第１操作内容に基づいて第１受信部に第１操作内容の情報を含む第９無線信号を送信してもよい。また、子機１１６は、受信した第２操作内容に基づいて第２受信部に第２操作内容の情報を含む第１０無線信号を送信してもよい。また、第１主操作部１２９及び第１副操作部１５９の夫々が、第１照明器具１１２の調光情報を入力できてもよく、第２主操作部１３９及び第２副操作部１６９の夫々が、第２照明器具１１３の調光情報を入力できてもよい。また、親機１１４が第１主表示部１２８及び第２主表示部１３８を有すると共に、子機１１６が第１副表示部１５８及び第２副表示部１６８を有してもよい。また、第１主表示部１２８及び第１副表示部１５８の夫々が、第１照明器具１１２の調光情報を表示可能でもよく、第２主表示部１３８及び第２副表示部１６８の夫々が、第２照明器具１１３の調光情報を表示可能でもよい。
【００５７】
第２実施形態における、第１無線信号、第３無線信号、第５無線信号、第７無線信号、及び第９無線信号は、第１グループに属する１以上の第１照明器具１１２の制御に関する、第１実施形態で説明した第１乃至第５無線信号に対応する。また、第２実施形態における、第２無線信号、第４無線信号、第６無線信号、第８無線信号、及び第１０無線信号は、第２グループに属する１以上の第２照明器具１１３の制御に関する、第１実施形態で説明した第１乃至第５無線信号に対応する。
【００５８】
第２実施形態によれば、各グループに属する第１及び第２照明器具１１２,１１３の制御の夫々を複数個所で混乱を来さずに円滑に実行できる。また、第２実施形態では、例えば、一つの部屋にパーティションを設けた場合、パーティションの向こう側が視認不可能でも、隣の照明器具の調光情報を認識できる。よって、無駄な電力を削減し易くなり、省エネを実現し易くなる。なお、第２実施形態では、照明システム１０１が、２つのグループの照明器具１１２,１１３を制御する場合について説明したが、照明システムは、３以上のグループの照明器具を制御してもよい。また、照明システム１０１が、１つのみの子機１１６を備える場合について説明したが、照明システムは、２以上の子機を備えてもよい。
【００５９】
（第３実施形態）
第２実施形態では、親機１１４及び子機１１６で複数のグループの照明器具１１２,１１３の制御を実行できる場合について説明した。しかし、複数のグループの照明器具を制御できるのは親機のみで、子機は１つのグループに属する照明器具しか制御できなくてもよい。第３実施形態では、図６、すなわち、本開示の第３実施形態に係る照明システム２０１の概略構成図を用いて、１つの親機２１４と、１つの第１子機２１６と、１つの第２子機２１８が存在する場合を例にそのような照明システム２０１について説明する。なお、第３実施形態では、第１、第２実施形態と同様の作用効果及び変形例についての説明を省略する。
【００６０】
図６に示すように、照明システム２０１は、１つの親機２１４、１つの第１子機２１６、１つの第２子機２１８、第１グループに属する１以上の第１照明器具２１２、及び第２グループに属する１以上の第２照明器具２１３を備える。第１グループに属する１以上の第１照明器具２１２は、同一の制御が実行され、第２グループに属する１以上の第２照明器具２１３も、同一の制御が実行される。また、第１グループに属する１以上の第１照明器具２１２と、第２グループに属する１以上の第２照明器具２１３は、互いに独立に制御される。
【００６１】
親機２１４は、第１照明器具２１２の調光率を増加させる調光率増加スイッチ２２２と、第１照明器具２１２の調光率を低下させる調光率低下スイッチ２２４と、第１照明器具２１２への電源供給をオンオフする電源スイッチ２２６を含む。また、親機２１４は、第２照明器具２１３の調光率を増加させる調光率増加スイッチ２３２と、第２照明器具２１３の調光率を低下させる調光率低下スイッチ２３４と、第２照明器具２１３への電源供給をオンオフする電源スイッチ２３６を含む。
【００６２】
調光率増加スイッチ２２２、調光率低下スイッチ２２４、及び電源スイッチ２２６の夫々の操作方法は、第１実施形態で説明した、調光率増加スイッチ２２、調光率低下スイッチ２４、及び電源スイッチ２６の操作方法と同一である。また、調光率増加スイッチ２３２、調光率低下スイッチ２３４、及び電源スイッチ２３６の夫々の操作方法も、第１実施形態で説明した、調光率増加スイッチ２２、調光率低下スイッチ２４、及び電源スイッチ２６の操作方法と同一である。
【００６３】
また、第１子機２１６は、第１照明器具２１２の調光率を増加させる調光率増加スイッチ２５２と、第１照明器具２１２の調光率を低下させる調光率低下スイッチ２５４と、第１照明器具２１２への電源供給をオンオフする電源スイッチ２５６を含む。また、第２子機２１８は、第２照明器具２１３の調光率を増加させる調光率増加スイッチ２６２と、第２照明器具２１３の調光率を低下させる調光率低下スイッチ２６４と、第２照明器具２１３への電源供給をオンオフする電源スイッチ２６６を含む。
【００６４】
調光率増加スイッチ２５２、調光率低下スイッチ２５４、及び電源スイッチ２５６の夫々の操作方法は、第１実施形態で説明した、調光率増加スイッチ５２、調光率低下スイッチ５４、及び電源スイッチ５６の操作方法と同一である。また、調光率増加スイッチ２６２、調光率低下スイッチ２６４、及び電源スイッチ２６６の夫々の操作方法も、第１実施形態で説明した、調光率増加スイッチ５２、調光率低下スイッチ５４、及び電源スイッチ５６の操作方法と同一である。
【００６５】
第３実施形態では、親機２１４における、調光率増加スイッチ２２２、調光率低下スイッチ２２４、及び電源スイッチ２２６と、第１子機２１６を用いて、第１グループに属する１以上の第１照明器具２１２の制御を第１実施形態と同様に実行する。また、親機２１４における、調光率増加スイッチ２３２、調光率低下スイッチ２３４、及び電源スイッチ２３６と、第２子機２１８を用いて、第２グループに属する１以上の第２照明器具２１３の制御を第１実施形態と同様に実行する。また、第３実施形態でも、第２実施形態と同様に、２つのグループの夫々で、互いに独立に第１実施形態で説明した第１乃至第５無線信号を用いた制御を実行する。
【００６６】
詳しくは、照明システム２０１は、互いに独立に制御される第１照明器具２１２及び第２照明器具２１３を備える。また、照明システム２０１は、第１照明器具２１２の第１制御内容を入力する第１主操作部２２９、第２照明器具２１３の第２制御内容を入力する第２主操作部２３９、及び第１制御内容の情報を含む第１無線信号と第２制御内容の情報を含む第２無線信号を送信可能な主送信部を有する親機２１４を備える。また、照明システム２０１は、第１副受信部、及び第１副送信部を有する第１子機２１６と、第２副受信部、及び第２副送信部を有する第２子機２１８を備える。また、第１照明器具２１２が第１受信部２２０を有すると共に、第２照明器具２１３が第２受信部２２１を有する。また、親機２１４は、第１無線信号を第１受信部２２０及び第１副受信部に送信可能であると共に、第２無線信号を第２受信部２２１及び第２副受信部に送信可能である。また、第１副受信部が第１無線信号を受信すると、第１副送信部が第１制御内容を実行する情報を含む第３無線信号を第１受信部２２０に送信する。また、第２副受信部が第２無線信号を受信すると、第２副送信部が第２制御内容を実行する情報を含む第４無線信号を第２受信部２２１に送信する。
【００６７】
更には、親機２１４が主受信部を有する。また、第１子機２１６が第１照明器具２１２の第１操作内容を入力する第１副操作部２５９を有し、第２子機２１８が第２照明器具２１３の第２操作内容を入力する第２副操作部２６９を有する。また、第１副送信部は、第１操作内容を含む第５無線信号を主受信部に送信し、第２副送信部は、第２操作内容を含む第６無線信号を主受信部に送信する。また、親機２１４は、受信した第１操作内容に基づいて第１受信部２２０及び第１副受信部に第１操作内容の情報を含む第７無線信号を送信してもよい。また、親機２１４は、受信した第２操作内容に基づいて第２受信部２２１及び第２副受信部に第２操作内容の情報を含む第８無線信号を送信してもよい。また、第１子機２１６は、受信した第１操作内容に基づいて第１受信部２２０に第１操作内容の情報を含む第９無線信号を送信してもよい。また、第２子機２１８は、受信した第２操作内容に基づいて第２受信部２２１に第２操作内容の情報を含む第１０無線信号を送信してもよい。また、第１主操作部２２９及び第１副操作部２５９の夫々が、第１照明器具２１２の調光情報を入力できてもよく、第２主操作部２３９及び第２副操作部２６９の夫々が、第２照明器具２１３の調光情報を入力できてもよい。また、親機２１４が第１主表示部２２８及び第２主表示部２３８を有してもよい。また、第１子機２１６が第１副表示部２５８を有すると共に、第２子機２１８が第２副表示部２６８を有してもよい。また、第１主表示部２２８及び第１副表示部２５８の夫々が、第１照明器具２１２の調光情報を表示可能でもよく、第２主表示部２３８及び第２副表示部２６８の夫々が、第２照明器具２１３の調光情報を表示可能でもよい。
【００６８】
第３実施形態における、第１無線信号、第３無線信号、第５無線信号、第７無線信号、及び第９無線信号は、第１グループに属する１以上の第１照明器具２１２の制御に関する、第１実施形態で説明した第１乃至第５無線信号に対応する。また、第３実施形態における、第２無線信号、第４無線信号、第６無線信号、第８無線信号、及び第１０無線信号は、第２グループに属する１以上の第２照明器具２１３の制御に関する、第１実施形態で説明した第１乃至第５無線信号に対応する。
【００６９】
第３実施形態によれば、各グループに属する第１及び第２照明器具２１２,２１３の制御の夫々を複数個所で混乱を来さずに円滑に実行できる。なお、第３実施形態では、照明システム２０１が、２つのグループの照明器具２１２,２１３を制御する場合について説明した。しかし、照明システムが、３以上のグループの照明器具を制御してもよく、異なるグループの照明器具を操作する異なる子機が、３以上存在してもよい。
【符号の説明】
【００７０】
１,１０１,２０１  照明システム、  １２  照明器具、  １４,１１４,２１４  親機、  １６,１１６  子機、  ２０  受信部、  ３５  主操作部、  ３６  主送信部、  ３７  主受信部、  ３８  主表示部、  ４５  副操作部、  ４６  副送信部、  ４７  副受信部、  ４８  副表示部、  １１２,２１２  第１照明器具、  １１３,２１３  第２照明器具、  １２０  第１受信部、  １２１  第２受信部、  １２９,２２９  第１主操作部、  １３９,２３９  第２主操作部、  １５９,２５９  第１副操作部、  １６９,２６９  第２副操作部、  ２１６  第１子機、  ２１８  第２子機。
【図１】
2020087561.tif 000003
【図２】
2020087561.tif 000004
【図３】
2020087561.tif 000005
【図４】
2020087561.tif 000006
【図５】
2020087561.tif 000007
【図６】
2020087561.tif 000008